【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
被写体を撮像し、画角を変更できる撮像手段と、
音声を集音し、指向範囲を変更できる音声入力手段と、
前記撮像手段の画角及び前記音声入力手段の前記指向範囲を制御する制御手段
とを具備する撮像装置であって、
前記制御手段は、記録開始の操作に応じて、前記音声入力手段の前記指向範囲を、前記画角に応じた指向範囲より広い指向範囲に制御し、その後、前記画角に応じた指向範囲に制御することを特徴とする撮像装置。
【請求項２】
前記制御手段は、前記音声入力手段の前記指向範囲を前記画角に応じた指向範囲より広い指向範囲から前記画角に応じた指向範囲に変更する際に、前記画角に応じた指向範囲に向けて少しずつ変化させることを特徴とする請求項１に記載の撮像装置。
【請求項３】
前記制御手段は、前記撮像手段の撮影モードの切替え操作に応じて、前記音声入力手段の前記指向範囲を、前記撮影モードに応じた指向範囲より広い指向範囲に制御し、その後、前記撮影モードに応じた指向範囲に制御することを特徴とする請求項１又は２に記載の撮像装置。
【請求項４】
被写体を撮像する撮像手段と、
音声を集音し、指向範囲を変更できる音声入力手段と、
前記撮像手段の撮影モード及び前記音声入力手段の前記指向範囲を制御する制御手段
とを具備する撮像装置であって、
前記制御手段は、前記撮影モードの切替え操作に応じて、前記音声入力手段の前記指向範囲を、前記撮影モードに応じた指向範囲より広い指向範囲に制御し、その後、前記撮影モードに応じた指向範囲に制御することを特徴とする撮像装置。
【請求項５】
前記制御手段は、前記音声入力手段の前記指向範囲を前記撮影モードに応じた指向範囲より広い指向範囲から前記撮影モードに応じた指向範囲に変更する際に、前記撮影モードに応じた指向範囲に向けて少しずつ変化させることを特徴とする請求項４に記載の撮像装置。
【請求項６】
被写体の光学像を指定されたズーム率で撮影し画像データを取得する撮像手段と、
周囲の音声を所定の指向範囲で集音し音声データを取得する音声入力手段と、
前記音声入力手段の前記指向範囲を制御する制御手段と、
前記画像データ及び前記音声データの記録開始を指示する指示手段
とを有し、
前記制御手段は、前記記録開始の指示に応じて、前記撮像手段のズーム率に対応する指向範囲よりも広い指向範囲に前記音声入力手段の指向範囲を制御し、その後、前記撮像手段のズーム率に対応する指向範囲に前記音声入力手段の指向範囲を制御することを特徴とする撮像装置。
【請求項７】
被写体の光学像を指定された撮影モードで撮影し画像データを取得する撮像手段と、
周囲の音声を所定の指向範囲で集音し音声データを取得する音声入力手段と、
前記音声入力手段の指向範囲を制御する制御手段と、
前記画像データ及び前記音声データの記録開始を指示する指示手段
とを有し、
前記制御手段は、前記記録開始の指示に応じて、前記撮像手段の撮影モードに対応する指向範囲よりも広い指向範囲に前記音声入力手段の指向範囲を制御し、その後、前記撮像手段の撮影モードに対応する指向範囲に前記音声入力手段の指向範囲を制御する
ことを特徴とする撮像装置。
【請求項８】
被写体を撮像し、画角を変更できる撮像手段と、
音声を集音し、指向範囲を変更できる音声入力手段と、
前記撮像手段による画像撮像中において、前記撮像手段の画角に応じて前記音声入力手段の前記指向範囲を制御する制御手段
とを具備する撮像装置であって、
前記制御手段は前記撮像手段により得られた画像の記録を開始してから所定時間は、前記撮像手段の画角に応じた前記音声入力手段の指向範囲よりも広い指向範囲に制御する
ことを特徴とする撮像装置。
【請求項９】
前記制御手段は、前記記録を開始してから所定時間が経過すると、前記撮像手段の画角に応じた前記音声入力手段の指向範囲になるように制御することを特徴とする請求項８に記載の撮像装置。
【請求項１０】
前記制御手段は、前記音声入力手段の前記指向範囲を前記画角に応じた指向範囲より広い指向範囲から前記画角に応じた指向範囲に変更する際に、前記画角に応じた指向範囲に向けて少しずつ狭くさせることを特徴とする請求項９に記載の撮像装置。
【請求項１１】
被写体を撮像し、画角を変更できる撮像手段と、
音声を集音し、指向範囲を変更できる音声入力手段
とを具備する撮像装置の制御方法であって、
記録開始の操作に応じて、前記音声入力手段の前記指向範囲を、前記画角に応じた指向範囲より広い指向範囲に制御する第１ステップと、
前記第１ステップの後に、前記音声入力手段の前記指向範囲を前記画角に応じた指向範囲に制御する第２制御ステップ
とを具備することを特徴とする撮像装置の制御方法。
【請求項１２】
被写体を撮像する撮像手段と、
音声を集音し、指向範囲を変更できる音声入力手段
とを具備する撮像装置の制御方法であって、
前記撮像手段の撮影モードの切替え操作に応じて、前記音声入力手段の前記指向範囲を、前記撮影モードに応じた指向範囲より広い指向範囲に制御する第１の制御ステップと、
前記第１の制御ステップの後、前記撮影モードに応じた指向範囲に前記音声入力手段の前記指向範囲を制御する第２の制御ステップ
とを具備することを特徴とする撮像装置の制御方法。
【請求項１３】
被写体の光学像を指定されたズーム率で撮影し画像データを取得する撮像手段と、
周囲の音声を所定の指向範囲で集音し音声データを取得する音声入力手段と、
前記画像データ及び前記音声データの記録開始を指示する指示手段
とを有する撮像装置の制御方法であって、
前記記録開始の指示に応じて、前記撮像手段のズーム率に対応する指向範囲よりも広い指向範囲に前記音声入力手段の指向範囲を制御する第１の制御ステップと、
前記第１の制御ステップの後、前記撮像手段のズーム率に対応する指向範囲に前記音声入力手段の指向範囲を制御する第２の制御ステップ
とを具備することを特徴とする撮像装置の制御方法。
【請求項１４】
被写体の光学像を指定された撮影モードで撮影し画像データを取得する撮像手段と、
周囲の音声を所定の指向範囲で集音し音声データを取得する音声入力手段と、
前記画像データ及び前記音声データの記録開始を指示する指示手段
とを有する撮像装置の制御方法であって、
前記記録開始の指示に応じて、前記撮像手段の撮影モードに対応する指向範囲よりも広い指向範囲に前記音声入力手段の指向範囲を制御する第１の制御ステップと、
前記第１の制御ステップの後、前記撮像手段の撮影モードに対応する指向範囲に前記音声入力手段の指向範囲を制御する第２の制御ステップ
とを有する撮像装置の制御方法。
【請求項１５】
被写体を撮像し、画角を変更できる撮像手段と、
音声を集音し、指向範囲を変更できる音声入力手段
とを具備する撮像装置の制御方法であって、
前記撮像手段による画像撮像中において、前記撮像手段の画角に応じて前記音声入力手段の前記指向範囲を制御し、
前記撮像手段により得られた画像の記録を開始してから所定時間は、前記撮像手段の画角に応じた前記音声入力手段の指向範囲よりも広い指向範囲に制御する
ことを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００１
【補正方法】変更
【補正の内容】
【０００１】
本発明は、撮像と同時に音声を取り込む撮像装置及びその制御方法に関する。
【手続補正４】
【補正対象書類名】明細書
【補正対象項目名】０００９
【補正方法】変更
【補正の内容】
【０００９】
本発明は、画角に応じた音声取り込み範囲の制御を原則としつつ、周囲の状況を音声により容易に認識しうるようにした撮像装置及びその制御方法を提示することを目的とする。
【手続補正５】
【補正対象書類名】明細書
【補正対象項目名】００１０
【補正方法】変更
【補正の内容】
【００１０】
本発明に係る撮像装置は、被写体を撮像し、画角を変更できる撮像手段と、音声を集音し、指向範囲を変更できる音声入力手段と、前記撮像手段の画角及び前記音声入力手段の前記指向範囲を制御する制御手段とを具備する撮像装置であって、前記制御手段は、記録開始の操作に応じて、前記音声入力手段の前記指向範囲を、前記画角に応じた指向範囲より広い指向範囲に制御し、その後、前記画角に応じた指向範囲に制御することを特徴とする。
本発明に係る撮像装置は、被写体を撮像する撮像手段と、音声を集音し、指向範囲を変更できる音声入力手段と、前記撮像手段の撮影モード及び前記音声入力手段の前記指向範囲を制御する制御手段とを具備する撮像装置であって、前記制御手段は、前記撮影モードの切替え操作に応じて、前記音声入力手段の前記指向範囲を、前記撮影モードに応じた指向範囲より広い指向範囲に制御し、その後、前記撮影モードに応じた指向範囲に制御することを特徴とする。
本発明に係る撮像装置は、被写体の光学像を指定されたズーム率で撮影し画像データを取得する撮像手段と、周囲の音声を所定の指向範囲で集音し音声データを取得する音声入力手段と、前記音声入力手段の前記指向範囲を制御する制御手段と、前記画像データ及び前記音声データの記録開始を指示する指示手段とを有し、前記制御手段は、前記記録開始の指示に応じて、前記撮像手段のズーム率に対応する指向範囲よりも広い指向範囲に前記音声入力手段の指向範囲を制御し、その後、前記撮像手段のズーム率に対応する指向範囲に前記音声入力手段の指向範囲を制御することを特徴とする。
本発明に係る撮像装置は、被写体の光学像を指定された撮影モードで撮影し画像データを取得する撮像手段と、周囲の音声を所定の指向範囲で集音し音声データを取得する音声入力手段と、前記音声入力手段の指向範囲を制御する制御手段と、前記画像データ及び前記音声データの記録開始を指示する指示手段とを有し、前記制御手段は、前記記録開始の指示に応じて、前記撮像手段の撮影モードに対応する指向範囲よりも広い指向範囲に前記音声入力手段の指向範囲を制御し、その後、前記撮像手段の撮影モードに対応する指向範囲に前記音声入力手段の指向範囲を制御することを特徴とする。
本発明に係る撮像装置は、被写体を撮像し、画角を変更できる撮像手段と、音声を集音し、指向範囲を変更できる音声入力手段と、前記撮像手段による画像撮像中において、前記撮像手段の画角に応じて前記音声入力手段の前記指向範囲を制御する制御手段とを具備する撮像装置であって、前記制御手段は撮像手段により得られた画像の記録を開始してから所定時間は、前記撮像手段の画角に応じた前記音声入力手段の指向範囲よりも広い指向範囲に制御することを特徴とする。
本発明に係る撮像装置の制御方法は、被写体を撮像し、画角を変更できる撮像手段と、音声を集音し、指向範囲を変更できる音声入力手段とを具備する撮像装置の制御方法であって、記録開始の操作に応じて、前記音声入力手段の前記指向範囲を、前記画角に応じた指向範囲より広い指向範囲に制御する第１ステップと、前記第１ステップの後に、前記音声入力手段の前記指向範囲を前記画角に応じた指向範囲に制御する第２制御ステップとを具備することを特徴とする。
本発明に係る撮像装置の制御方法は、被写体を撮像する撮像手段と、音声を集音し、指向範囲を変更できる音声入力手段とを具備する撮像装置の制御方法であって、前記撮像手段の撮影モードの切替え操作に応じて、前記音声入力手段の前記指向範囲を、前記撮影モードに応じた指向範囲より広い指向範囲に制御する第１の制御ステップと、前記第１の制御ステップの後、前記撮影モードに応じた指向範囲に前記音声入力手段の前記指向範囲を制御する第２の制御ステップとを具備することを特徴とする。
本発明に係る撮像装置の制御方法は、被写体の光学像を指定されたズーム率で撮影し画像データを取得する撮像手段と、周囲の音声を所定の指向範囲で集音し音声データを取得する音声入力手段と、前記画像データ及び前記音声データの記録開始を指示する指示手段とを有する撮像装置の制御方法であって、前記記録開始の指示に応じて、前記撮像手段のズーム率に対応する指向範囲よりも広い指向範囲に前記音声入力手段の指向範囲を制御する第１の制御ステップと、前記第１の制御ステップの後、前記撮像手段のズーム率に対応する指向範囲に前記音声入力手段の指向範囲を制御する第２の制御ステップとを具備することを特徴とする。
本発明に係る撮像装置の制御方法は、被写体の光学像を指定された撮影モードで撮影し画像データを取得する撮像手段と、周囲の音声を所定の指向範囲で集音し音声データを取得する音声入力手段と、前記画像データ及び前記音声データの記録開始を指示する指示手段とを有する撮像装置の制御方法であって、前記記録開始の指示に応じて、前記撮像手段の撮影モードに対応する指向範囲よりも広い指向範囲に前記音声入力手段の指向範囲を制御する第１の制御ステップと、前記第１の制御ステップの後、前記撮像手段の撮影モードに対応する指向範囲に前記音声入力手段の指向範囲を制御する第２の制御ステップとを有する。
本発明に係る撮像装置の制御方法は、被写体を撮像し、画角を変更できる撮像手段と、音声を集音し、指向範囲を変更できる音声入力手段とを具備する撮像装置の制御方法であって、前記撮像手段による画像撮像中において、前記撮像手段の画角に応じて前記音声入力手段の前記指向範囲を制御し、前記撮像手段により得られた画像の記録を開始してから所定時間は、前記撮像手段の画角に応じた前記音声入力手段の指向範囲よりも広い指向範囲に制御することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００４０
【補正方法】変更
【補正の内容】
【００４０】
このように、本実施例では、記録開始後の一定時間の間、マイクの指向範囲を、ズーム値に応じた指向範囲よりも広い範囲に制御することができる。従って、このように記録された映像音声（カット７０）を視聴する場合、再生画像はテレ端の狭い範囲であるものの、再生の開始部分では再生音声により周囲の状況を推測出来る。記録時間ＴＲが閾値ＴＲ＿ＴＨを越えた後では、マイクの指向範囲をズーム状態に応じ範囲に向けて少しずつ滑らかに変化させるので、ズームマイクの集音効果をより強く印象づけることができる。
【手続補正１０】
【補正対象書類名】明細書
【補正対象項目名】００４６
【補正方法】変更
【補正の内容】
【００４６】
システム制御装置４０は、スポーツモード又はポートレートモードなどの撮影モードの変更の有無を判定する（Ｓ２６）。撮影モードが切り替わったと判定された場合（Ｓ２６）、システム制御装置４０は、撮影モード計測タイマＴＭをクリアする（Ｓ２７）。Ｓ２６及びＳ２７の処理により、撮影モードの変更時に撮影モード計測タイマＴＭがゼロにクリアされる。撮影モード計測タイマＴＭは、以後、時間の経過とともにカウントアップして、経過時間を計測する。